(57)【要約】【課題】液体水素貯槽内を加圧する水素ガス温度と前記貯槽へ充填された液化水素温度の温度差を少なくし、前記貯槽内の圧力を適正な圧力範囲に維持しつつ、水素ガスをユースポイントに供給する方法およびその設備を提供する。【解決手段】液体水素貯槽１内を加圧する水素ガスを冷却するために、前記貯槽１から取り出した液体水素を冷媒とする熱交換器１０を設けた水素ガス供給設備を使用して、前記貯槽１内の液体水素を取り出して蒸発器２により気化した水素ガスをユースポイントに供給する。【選択図】図１
2009127813.tif 000002
【特許請求の範囲】
【請求項１】
液化水素貯槽内の液化水素を取り出して気化し、ユースポイントに供給するとともに、前記貯槽から液化水素を取り出して気化し、加圧用水素として前記貯槽内の気相部に送って、この加圧用水素ガスにより、前記貯槽内の液化水素を加圧する水素ガスの供給方法であって、前記加圧用水素ガスを冷却したのち、前記貯槽内の気相部に送ることを特徴とする水素ガス供給方法。
【請求項２】
前記加圧用水素ガスの冷却が、前記貯槽から取り出される液化水素との熱交換によるものであることを特徴とする請求項１に記載の水素ガス供給方法。
【請求項３】
請求項１または２に記載の水素ガス供給方法を使用する水素ガス供給設備であって、
液化水素を貯留する液化水素貯槽と、前記貯槽内から取り出された液化水素を加熱する蒸発器と、前記貯槽内から取り出された液化水素を冷媒とする熱交換器とを備え、
前記貯槽内から取り出した液化水素が前記熱交換器から前記蒸発器の順に流れて気化し水素ガスとなり、この水素ガスがユースポイントに供給される水素ガス供給ラインと、
前記貯槽内から取り出した液化水素が前記蒸発器から前記熱交換器の順に流れて気化し冷却されたのち、前記貯槽内の気相部へ流れる加圧ラインを有することを特徴とする水素ガス供給設備。
【発明の詳細な説明】
【技術分野】
【０００１】
本発明は、液化水素を気化して水素ガスとし、これをユースポイントへ供給する水素ガス供給方法および水素ガス供給設備に関し、液化水素貯槽に充填された液化水素を水素ガスに気化させ、ロスをなくし効率よく使用先に供給することを可能とするものである。
【背景技術】
【０００２】
例えば、大量に水素ガスを使用する工場などにおいては、その工場の敷地に、液化水素貯槽等を備えた水素ガス供給設備を設置し、その設置場所まで液化水素輸送車にて液化水素を移動させ、前記液化水素貯槽へ液化水素を充填することが行われている。このような従来の水素ガス供給設備を図３に示す。
【０００３】
以下、図３を参照しながら、従来の水素ガス供給方法および水素ガス供給設備を説明する。
図３に示した水素ガス供給設備は、液化水素貯槽１と蒸発器２とを主な構成要素とするものである。
液化水素貯槽１は、液化水素を貯蔵する容器であり、例えば金属製の内容器と金属製の外容器との間を断熱構造とした容器などが用いられる。蒸発器２は、大気中の熱や４０℃程度の蒸気熱を加熱手段とし、熱交換により液化水素を気化させ水素ガスにする機器である。
【０００４】
前記貯槽１内の液化水素からなる液相部９と前記蒸発器２とは供給ライン３で接続されており、前記貯槽１の下部から取り出された液化水素は、前記蒸発器２により気化されて水素ガスとなり、供給ライン３を流れ、最終的にユースポイントに供給される。
【０００５】
水素ガスをユースポイントが必要とする圧力、流量で供給するためには、水素ガス供給設備の供給圧力を一定に維持する必要がある。そのため、前記貯槽１の圧力が下がりすぎた場合のために、貯槽１の気相部８と蒸発器２と貯槽１の液相部９をつなぐ加圧ライン４が設けられている。この加圧ライン４には、弁２０が設けられ、この弁２０が開になると、前記貯槽１の液相部９から液化水素が取り出され、前記蒸発器２において加圧用水素ガスとして気化させ、この加圧用水素ガスを加圧ライン４から前記貯槽１内の水素ガスからなる気相部８に流入させて、この加圧用水素ガスにより液相部９を加圧するように構成されている。
【０００６】
また、逆に前記貯槽１内の圧力が上がりすぎた場合、貯槽１を保護するため、圧力を下げる必要がある。そのため、前記貯槽１の気相部８と供給ライン３をつなぐ回収ライン５が設けられており、この回収ライン５に圧力コントロール弁２１が設けられている。圧力コントロール弁２１の一次側の圧力が設定圧力以上になった場合、貯槽１の気相部８の水素ガスを供給ライン３に流し、圧力を下げつつユースポイントに供給する。
【０００７】
さらに、回収ライン５を介し気相部８のガスを供給ライン３に逃がしたにもかかわらず、貯槽１内の圧力が上昇する場合にそなえ、前記回収ライン５には、前記回収用水素ガスを大気へ放出する放出ライン７が設けられている。この放出ライン７には大気放出弁２２と安全弁２３が設けられており、前記貯槽１内の圧力が設計された圧力を超えて上昇するのを防ぎ、前記貯槽１や付属機器の損傷・破壊を未然に防止するようになっている。
前記弁２０、圧力コントロール弁２１、大気放出弁２２、安全弁２３の設定圧力は、弁２０、圧力コントロール弁２１、大気放出弁２２、安全弁２３の順に高くなっており、貯槽１の圧力は弁２０の設定圧力と安全弁２３の設定圧力との間を維持するようになっている。
【０００８】
前記貯槽１の気相部８と液相部９には充填ライン６が設けられ、図示しない液化水素輸送車に搭載された液化水素輸送容器からの液化水素が前記貯槽１内へ充填されるようになっている。
なお、上記構造の貯槽は、液化水素に限定されるものではなく、産業的に広く使われる液化窒素、液化酸素、液化アルゴンでも同様である。
【０００９】
液化水素輸送車は、液化水素輸送容器を加圧する機能を備えており、前記貯槽１への液化水素の充填は、前記輸送容器内の圧力を前記貯槽１内の圧力以上とし、圧力差を利用して行う。
充填方法は、（ａ）前記貯槽１内の前記気相部８から充填する方法と、（ｂ）前記貯槽１内の液相部９から充填する方法とがある。
充填時には、（ａ）、（ｂ）いずれの方法であっても前記貯槽１内の圧力は上昇する。
【００１０】
それは、液化水素輸送容器の圧力が貯槽１内の圧力よりも高いことによる。特に、（ａ）の方法では配管の端部から貯槽１内に充填される際にはジュールトムソン効果により、液化水素の温度が上昇するためである。
【００１１】
また、前記加圧用水素ガスの温度が、前記加圧ライン４に設置された図示しない複数のバルブを通過するたびにジュール‐トムソン効果により上昇した状態で、前記貯槽１内へ流入することもひとつの要因である。
【００１２】
一方、液化窒素、液化酸素、液化アルゴンのガスでは、液化水素と違いジュールトムソン効果により温度は下がる。したがって、充填時には（ａ）の方法により気相部８のガスを冷却し、液化して圧力を下げながら充填するため、充填に伴い圧力が上昇することはない。
また、液化水素の沸点は−２５２．８℃（１ａｔｍ）であり、液化窒素の沸点−１９５．８℃（１ａｔｍ）、液化酸素の沸点−１８３．０℃（１ａｔｍ）、アルゴンの沸点−１８５．５℃（１ａｔｍ）よりも低いため、液化水素は、液化窒素、液化酸素、液化アルゴンに比べ、ジュールトムソン効果の影響を受けやすい。
【００１３】
このように、水素ガスをユースポイントに供給するためには、前記貯槽１内の圧力を供給圧力に維持しつつ、前記貯槽１内を加圧する必要がある。適正な供給圧力範囲とは、ユースポイントで求められる水素ガス供給流量を確保できる前記貯槽１内の最低圧力から最高圧力のことで、弁２０の設定圧力から大気放出弁２２の作動圧力未満の範囲である。
【００１４】
まず、供給適正範囲の最低圧力は、加圧ライン４に設けられた弁２０の設定圧力となる。貯槽１の圧力が下がり、弁２０の設定圧力以下になった場合、弁２０は閉から開となり、貯槽１内を加圧する。
次に、貯槽１内の最高圧力を適正な圧力に収める方法として３段階による方策が採用されている。第１ステップは、液化水素充填などにより、前記貯槽１内の圧力が適正な供給圧力範囲の最大値である圧力コントロール弁２１の設定値を超える場合、圧力コントロール弁２１は閉から開となり、前記貯槽１内の水素ガスを前記回収ライン５と供給ライン３を経てユースポイントへ供給することで、前記貯槽１内の圧力を適正な供給圧力範囲内に収めるようにする。
【００１５】
前記第１ステップの圧力修正手段をもってしても、貯槽１内の圧力を適正な供給圧力範囲に維持できない場合がある。この時、第２ステップとして、大気放出弁２２を閉から開とし、貯槽１内の水素ガスを前記放出ライン７を介して大気に放出して貯槽１内の圧力を適正な供給圧力範囲に収めるようにする。さらに、第２ステップでも圧力を下げることができない場合、第３ステップとして安全弁２３が作動することになる。
【００１６】
圧力の上昇は、特に、液化水素輸送車から液化水素を前記貯槽１内へ充填する時、ユースポイントに水素ガスを供給する時、またこれを同時に行う場合に顕著である。
それは、液化水素輸送車からの液化水素の圧力が貯槽１内の圧力よりも高くなっていること、また加圧用水素ガスの圧力も高くなっていることによる。圧力が高くなるとジュールトムソン効果による温度上昇が大きくなる傾向がある。そのため、前記加圧用水素ガスの温度と充填される液化水素温度は高くなり、充填される液化水素が前記貯槽１内で水素ガスに気化し、また液相表面の液化水素を気化させ、第３ステップまで至り、高価な水素ガスを大気放出により、損失する問題がある。
【００１７】
【特許文献１】特開２００７−３２６９６号公報
【発明の開示】
【発明が解決しようとする課題】
【００１８】
しかしながら、従来の水素ガス供給設備における前述の３段階の前記貯槽１内の圧力を適正な供給圧力範囲に収める方法において、前記貯槽１へ流入する加圧用水素ガス温度と液化水素輸送車から前記貯槽１へ充填された液化水素温度が高ければ高いほど、該液化水素が水素ガスに気化して、前記貯槽１内の圧力が高くなり、前記貯槽１内の圧力を適正な供給圧力範囲内に維持しようとするため、前記放出ライン７を通じて大気へ放出される損失水素ガス量が多くなる。
【００１９】
本発明では、前記加圧用水素ガス温度と液化水素輸送車から前記貯槽１へ充填された液化水素温度を下げ、該液化水素の気化を最小限にとどめ、前記貯槽１内を適正な供給圧力範囲に維持する水素ガス供給方法および水素ガス供給設備を提供することを目的とする。
【課題を解決するための手段】
【００２０】
請求項１に記載の発明は、液化水素貯槽内の液化水素を取り出して気化し、ユースポイントに供給するとともに、前記貯槽から液化水素を取り出して気化し、加圧用水素として前記貯槽内の気相部に送って、この加圧用水素ガスにより、前記貯槽内の液化水素を加圧する水素ガスの供給方法であって、前記加圧用水素ガスを冷却したのち、前記貯槽内の気相部に送ることを特徴とする水素ガス供給方法である。
【００２１】
請求項２に記載の発明は、前記加圧用水素ガスの冷却が、前記貯槽から取り出される液化水素との熱交換によるものであることを特徴とする請求項１に記載の水素ガス供給方法である。
【００２２】
請求項３に記載の発明は、請求項１または２に記載の水素ガス供給方法を使用する水素ガス供給設備であって、
液化水素を貯留する液化水素貯槽と、前記貯槽内から取り出された液化水素を加熱する蒸発器と、前記貯槽内から取り出された液化水素を冷媒とする熱交換器とを備え、
前記貯槽内から取り出した液化水素が前記熱交換器から前記蒸発器の順に流れて気化し水素ガスとなり、この水素ガスがユースポイントに供給される水素ガス供給ラインと、
前記貯槽内から取り出した液化水素が前記蒸発器から前記熱交換器の順に流れて気化し冷却されたのち、前記貯槽内の気相部へ流れる加圧ラインを有することを特徴とする水素ガス供給設備である。
【発明の効果】
【００２３】
本発明によれば、液体水素貯槽から取り出され蒸発器で気化され加圧ラインを流れる加圧用水素ガスを前記貯槽内へ流入させる前に冷却することで、加圧用水素ガスの温度を下げ、貯槽へ供給した際の温度を低く設定することができるため、液化水素輸送車から前記貯槽へ充填された液化水素温度との温度差を小さくすることにより、前記加圧用水素ガスが前記液化水素への冷却能力を増大させることができ、前記液化水素の気化による前記貯槽内の圧力の上昇をできる限り抑えることができる。
【００２４】
前記加圧用水素ガスを冷却する方法として、前記貯槽から取り出され供給ライン流れる液化水素を冷流体とし、前記貯槽から取り出され蒸発器で気化され加圧ラインを流れる加圧用水素ガスを温流体として熱交換させるものでは、水素ガス供給設備に冷流体として液化窒素や液化アルゴンを用いた熱交換器を新たに設置する必要がなくなる。
【００２５】
前記液化水素が気化されて水素ガスになり、前記貯槽内の圧力が上昇する場合、前記貯槽内の圧力を適正な供給圧力範囲内に維持しようとするため、前記貯槽内へ接続する回収ラインを経て放出ラインから大気放出されるとともにユースポイントに供給されない損失水素ガス量が増加するが、前記熱交換方法を導入することで、前記損失水素ガス量を最小限にしつつ、水素ガスをユースポイントに安定に供給することができるものである。
【発明を実施するための最良の形態】
【００２６】
以下、本発明の実施形態を、図１〜図２を参照しながら説明する。
図１は本発明の水素ガス供給設備の一実施形態を示すもので、図３に示した従来の水素ガス供給設備と同一構成部分には同一符号を付してその説明を省略する。
【００２７】
図１に示した水素ガス供給設備と図３に示した水素ガス供給設備と異なるところは、図１に示した水素ガス供給設備には、加圧ライン４を流れる水素ガスを冷却する熱交換器１０が設けられている点である。
【００２８】
この熱交換器１０は、供給ライン３の液化水素貯槽１と蒸発器２との間に設けられ、この供給ライン３を流れる液化水素を冷流体とし、液化水素貯槽１から加圧ライン４に導出され、蒸発器２で気化した水素ガスを温流体とするものである。
【００２９】
図１に示す水素ガス供給設備において、水素ガスをユースポイントに供給するためには、前記貯槽１内から取り出された液化水素を前記熱交換器１０に通して加熱して、次に、前記蒸発器２を通して水素ガスに気化し、ユースポイントに供給する。
【００３０】
また、前記貯槽１内の圧力を供給圧力に維持しつつ、前記貯槽１内を加圧するためには、前記貯槽１内から取り出された液体水素を前記蒸発器２を通して加圧用水素ガスとして気化して、次に、前記熱交換器１０を通して冷却して、再び液体水素貯槽１へ流入させる。
【００３１】
図２は前記熱交換器１０の一例を示すものである。
この熱交換器１０は、二重管１１により構成され、断面形状が円状である内側の流路１４を液化水素が流れ、その外側にある断面形状がドーナツ状である流路１５を水素ガスが流れるものであり、前記液化水素の流れＡの方向と前記水素ガスの流れＢの方向が互いに反対向きの向流式の熱交換器である。なお、流路１４に水素ガスを流し、流路１５に液化水素を流してもよい。
【００３２】
流路１４に流れる液化水素は、前記貯槽１から取り出されたものであり、その温度は約−２５０℃程度であるため、前記熱交換器１０では冷流体として使用されたのち、蒸発器２で水素ガスに気化され、ユースポイントに供給される。
【００３３】
流路１５に流れる水素ガスは、前記貯槽１から取り出され、蒸発器２で水素ガスに気化されたものであり、そのガス温度は２０〜４０℃程度であるため、熱交換器１０では温流体として使用されて冷却されたのち、加圧用水素ガスとして前記貯槽１内へ流入する。
【００３４】
従来例の説明で述べたように、前記加圧用水素ガスの温度は、加圧ライン４に設置された図示しない複数のバルブを通過するたびにジュール‐トムソン効果により上昇し、前記貯槽１内へ流入するが、熱交換器１０に流入させることにより、前記加圧用水素ガスの温度を前記貯槽１内へ流入する前に温度下降させることが可能である。
【００３５】
特に、液化水素輸送車から液化水素を前記貯槽１内へ充填する時、水素ガスをユースポイントに供給している時、熱交換器１０で冷却された前記加圧用水素ガスが液化水素を冷却することができ、充填される液化水素が前記貯槽１内で水素ガスに気化する量を減少させることができる。
【００３６】
その結果、前記貯槽１の気相部８に接続された回収ライン５による供給により圧力変動を小さくし、放出ライン７から大気放出される量を減少させ、ユースポイントに供給されない損失水素ガス量を減少させることができる。
【００３７】
なお、上記の実施形態の説明では、熱交換器１０として二重管式熱交換器を例に挙げたが、金属板を一定間隔で積重ねる構成になっているプレート式熱交換器、容器内にコイル管を配した熱交換器などを使用してもよい。
【産業上の利用可能性】
【００３８】
本発明によれば、水素ガスを用いる各種産業分野、例えば、石油産業、化学産業、半導体産業、ガラス産業、金属産業および自動車産業などにおいて、液化水素貯槽に充填された液化水素を経済性が高く使用できる水素ガスの供給方法を提供できる。
【図面の簡単な説明】
【００３９】
【図１】本発明の水素ガス供給設備の一例を示す概略図である。
【図２】本発明の水素ガス供給設備に設けられた熱交換器の一例を示す概略断面図である。
【図３】従来の水素ガス供給設備の一例を示す概略図である。
【符号の説明】
【００４０】
１・・・液化水素貯槽、２・・・蒸発器、３・・・供給ライン、４・・・加圧ライン、５・・・回収ライン、６・・・充填ライン、７・・・放出ライン、８・・・気相部、９・・・液相部、１０・・・熱交換器、１１・・・二重管、１２・・・液化水素の流れ、１３・・・水素ガスの流れ
【図１】
2009127813.tif 000003
【図２】
2009127813.tif 000004
【図３】
2009127813.tif 000005